(57)【要約】  本発明は、外面（ＩＩＩ）と内面（ＩＶ）とを有する少なくとも１つの第１のパネル（１．１）と、前記第１のパネル（１．１）の前記外面（ＩＩＩ）及び／又は前記内面（ＩＶ）上に配置された少なくとも１つの透明導電コーティング（３）と、少なくとも１つの外側のコーティング除去構造（４．１）及び内側のコーティング除去構造（４．２）を有した少なくとも１つの領域（９）と、を有したパネル（１０）であって、前記外側のコーティング除去構造（４．１）と前記内側のコーティング除去構造（４．２）との間、及び前記内側のコーティング除去構造（４．２）の内側に、前記透明導電コーティング（３）が存在していて、前記外側のコーティング除去構造（４．１）は、前記透明導電コーティング（３）によって完全に取り囲まれていることを特徴とする、パネルに関する。
2016506308.tif 000002
【特許請求の範囲】
【請求項１】
外面（ＩＩＩ）と内面（ＩＶ）とを有する少なくとも１つの第１のパネル（１．１）と、
前記第１のパネル（１．１）の前記外面（ＩＩＩ）及び／又は前記内面（ＩＶ）上に配置された少なくとも１つの透明導電コーティング（３）と、
少なくとも１つの外側のコーティング除去構造（４．１）及び内側のコーティング除去構造（４．２）を有した少なくとも１つの領域（９）と、を有したパネル（１０）であって、
前記外側のコーティング除去構造（４．１）と前記内側のコーティング除去構造（４．２）との間、及び前記内側のコーティング除去構造（４．２）の内側に、前記透明導電コーティング（３）が存在していて、前記外側のコーティング除去構造（４．１）は、前記透明導電コーティング（３）によって完全に取り囲まれていることを特徴とする、パネル。
【請求項２】
前記内側のコーティング除去構造（４．２）は、その内側に位置する縁部（１５．２）で、透明導電コーティング（３）によって完全に取り囲まれている、請求項１記載のパネル。
【請求項３】
前記外側のコーティング除去構造（４．１）と前記内側のコーティング除去構造（４．２）とは、正方形、長方形、菱形、台形、６角形、８角形、十字形、楕円形、又は円形の形状を有しており、かつ／又は互いに同心的に配置されている、請求項１又は２記載のパネル。
【請求項４】
前記外側のコーティング除去構造（４．１）と前記内側のコーティング除去構造（４．２）との間の間隔ｂは０．５ｍｍ〜３０ｍｍであって、好適には１ｍｍ〜５ｍｍであり、特に好適には一定である、請求項１から３までのいずれか１項記載のパネル。
【請求項５】
前記外側のコーティング除去構造（４．１）と前記内側のコーティング除去構造（４．２）との間の領域は、前記透明導電コーティング（３）によって完全に埋められている、又は、前記外側のコーティング除去構造（４．１）と前記内側のコーティング除去構造（４．２）とは少なくとも１つのコーティング除去線（８）によって、好適には垂直に配置されたコーティング除去線（８）によって互いに接続されている、請求項１から４までのいずれか１項記載のパネル。
【請求項６】
前記コーティング除去構造（４．１，４．２）及び／又は前記コーティング除去線（８）の線幅ｄは２５μｍ〜３００μｍであって、好適には３０μｍ〜１４０μｍである、請求項１から５までのいずれか１項記載のパネル。
【請求項７】
互いに隣接する前記領域（９）の間の最小間隔ｈは１ｍｍ〜１００ｍｍであって、好適には１ｍｍ〜２０ｍｍである、請求項１から６までのいずれか１項記載のパネル。
【請求項８】
前記透明導電コーティング（３）は少なくとも４つの前記領域（９）、好適には１０〜５０の前記領域（９）を有しており、これらの領域（９）は好適には水平かつ／又は垂直に配置されており、かつ／又は、これらの領域（９）の面積は、前記パネル（１０）の面積の７％〜２５％の割合を有している、請求項１から７までのいずれか１項記載のパネル。
【請求項９】
前記第１のパネル（１．１）及び／又は前記第２のパネル（１．２）はガラス、好適には平面ガラス、フロートガラス、石英ガラス、ホウケイ酸ガラス、ソーダ石灰ガラス、又はポリマ、好適にはポリエチレン、ポリプロピレン、ポリカーボネート、ポリメチルメタクリレート及び／又はこれらの混合物を含み、かつ／又は有効比誘電率εeff２〜８を、好適には６〜８を有している、請求項１から８までのいずれか１項記載のパネル。
【請求項１０】
前記コーティング除去構造（４．１，４．２）の長さｌは１０ｍｍから１５０ｍｍであって、かつ／又は
【数１】
2016506308.tif 000006
であって、かつ／又は前記間隔ｂと長さｌの比は、１／５以下である、請求項１から９までのいずれか１項記載のパネル。
【請求項１１】
前記透明導電コーティング（３）は、少なくとも１つの金属を含み、好適には銀、ニッケル、クロム、ニオブ、スズ、チタン、銅、パラジウム、亜鉛、金、カドミウム、アルミニウム、シリコン、タングステン、又はこれらの合金、及び／又は少なくとも１つの金属酸化物層、好適にはスズドープ酸化インジウム（ＩＴＯ）、アルミニウムドープ酸化亜鉛（ＡＺＯ）、フッ素ドープ酸化スズ（ＦＴＯ、ＳｎＯ２：Ｆ）、アンチモンドープ酸化スズ（ＡＴＯ、ＳｎＯ２：Ｓｂ）、及び／又はカーボンナノチューブ、及び／又は視覚的に透明な導電ポリマ、好適にはポリ（３，４−エチレンジオキシチオフエン）、スルホン酸ポリスチレン、ポリ（４，４−ジオクチルシクロペンタジチオフェン）、２，３−ジクロロ−５，６−ジシアノ−１，４−ベンゾキノン、これらの混合物及び／又はコポリマを含み、かつ／又は前記透明導電コーティング（３）は、０．３５Ω／ｓｑ〜２００Ω／ｓｑの、好適には０．６Ω／ｓｑ〜３０Ω／ｓｑの面抵抗率を有している、請求項１から１０までのいずれか１項記載のパネル。
【請求項１２】
−請求項１から１１までのいずれか１項記載のパネル（１０）と、
−該パネル（１０）に少なくとも１つの中間層（２）を介して面状に結合されている第２のパネル（１．２）と、を有することを特徴とする複層パネル。
【請求項１３】
パネル（１０）を製造する方法であって、少なくとも、
ａ．透明導電コーティング（３）を、第１のパネル（１．１）の外面（ＩＩＩ）及び／又は内面（ＩＶ）上に形成し、
ｂ．少なくとも１つの外側のコーティング除去構造（４．１）と内側のコーティング除去構造（４．２）とを有した少なくとも１つの領域（９）を前記透明導電コーティング（３）に設け、この場合、前記外側のコーティング除去構造（４．１）と前記内側のコーティング除去構造（４．２）との間、及び前記内側のコーティング除去構造（４．２）の内側に、前記透明導電コーティング（３）が存在している、というステップを有することを特徴とする、パネル（１０）を製造する方法。
【請求項１４】
前記コーティング除去構造（４．１，４．２）をレーザーパターニングによって前記透明導電コーティング（３）に設ける、請求項１３記載の方法。
【請求項１５】
前記ステップ（ａ）で、前記透明導電コーティング（３）を支持層（６）上に形成し、該支持層（６）を、好適には中間層（２）を介して前記第１のパネル（１．１）に面状に結合する、請求項１３又は１４記載の方法。
【請求項１６】
請求項１から１１までのいずれか１項記載のパネル（１０）又は請求項１２記載の複層パネル（１）の、高周波数の電磁放射に対して低い透過減衰量を有するグレージングとしての、陸上移動手段、水上移動手段、又は空中移動手段の車両車体又は車両ドアにおける、好適にはフロントガラスとしての、又は建造物におけるファサードの部分又は建造物窓の部分としての、かつ／又は家具若しくは器具への嵌め込み部分としての使用。
【発明の詳細な説明】
【技術分野】
【０００１】
本発明は、透明導電コーティングと、高周波数領域における電磁放射に関して低い透過減衰とを有したパネル、特に車両パネルに関する。さらに本発明は、このようなパネルを製造する方法、及びこのようなパネルの使用に関する。
【０００２】
実際の自動車では、例えば、好適にはＡＭ、ＦＭ又はＤＡＢ帯におけるラジオの受信、ＧＳＭ９００帯及びＤＣＳ１８００帯、ＵＭＴＳ、ＬＴＥの携帯電話、並びに衛星ナビゲーション（ＧＰＳ）及びＷＬＡＮのような基本的サービスの作動のために電磁放射を送受信する多数の技術的装置が必要である。
【０００３】
同時に、現代の車両グレージング（窓ガラス）はますます、全側面かつ全表面で導電性かつ可視光透過性のコーティングを有するようになっている。このような透明導電コーティングは、例えば日光による過熱又は冷却から内室を保護する。この場合、この透明導電コーティングは欧州特許第３７８９１７号明細書により公知のように、入射する熱放射を反射する。透明導電コーティングは、電圧をかけることにより、ＷＯ２０１０／０４３５９８号明細書により公知であるように、パネルを所望のように加熱することができる。
【０００４】
透明導電コーティングに共通するのは、高周波数の領域の電磁放射に対しても不透過性であるという点である。透明導電コーティングを備えた、車両の全側面的かつ全表面的なグレージングにより、内室内での電磁放射の送受信はもはや不可能である。雨センサのようなセンサ、カメラシステム、又は定置のアンテナの作動のためには通常、透明導電コーティングの１つ又は２つの局所的に仕切られた領域がコーティング除去される。このコーティング除去領域はいわゆる通信窓又はデータ転送窓を成し、これは例えば欧州特許第１６０５７２９号明細書により公知である。
【０００５】
透明導電コーティングは、パネルの色及び反射作用に影響を与えるので、通信窓は視覚的に極めて目に付く。コーティング除去領域は、運転者の視界において妨害となる恐れがあり、これは運転安全性を損ない、必ず回避すべきものである。従って通信窓はパネルの目立たない位置、例えばフロントガラスのバックミラーの領域に配置され、黒色プリント又はプラスチックスクリーンによってカバーされる。
【０００６】
このような通信窓は、例えば携帯電話や衛星ナビゲーション用に必要な高周波数の電磁放射の送受信を可能にするには小さすぎる。さらに使用者は、車両内室内のどの位置でも携帯電話が作動することを期待する。
【０００７】
欧州特許第０７１７４５９号明細書、米国特許第２００３／００８０９０９号明細書、独国特許第１９８１７７１２号明細書により、金属コーティングを備えたパネルが公知である。このパネルは、全体に金属コーティングを格子状に除去した部分を有している。この格子状のコーティング除去部は、生じる高周波数の電磁放射に対してローパスフィルタとして作用する。格子間隔は、高周波数の電磁放射の波長に対して小さく、ひいてはコーティングの比較的大きな割合がパターニングされて、眺望は大きく損なわれる。層の比較的大きな割合を除去することは時間とコストがかかる。
【０００８】
本発明の課題は、ＧＳＭ９００帯及びＤＣＳ１８００帯、ＵＭＴＳ、ＬＴＥの携帯電話、並びに衛星ナビゲーション（ＧＰＳ）、及びＷＬＡＮを作動させるための高周波数の電磁放射を十分に透過させることができ、視覚的に魅力的で、パネルを通した眺望がほぼ制限されることがなく、かつ安価に製造することができる、透明導電コーティングを備えたパネルを提供することである。この課題及び別の課題は、本発明の提案によれば、独立請求項に記載の特徴を備えたパネルにより解決される。本発明の好適な構成は従属請求項の特徴に記載されている。
【０００９】
高周波透過性を有したパネルを製造する方法並びにこのようなパネルの使用は、別の独立請求項に記載されている。
【００１０】
本発明によるパネルは、外面と内面とを有する少なくとも１つの第１のパネルと、前記第１のパネルの前記外面及び／又は内面上に配置された少なくとも１つの透明導電コーティングと、少なくとも１つの外側のコーティング除去構造及び内側のコーティング除去構造とを有した少なくとも１つの領域と、を有しており、前記外側のコーティング除去構造と前記内側のコーティング除去構造との間、及び前記内側のコーティング除去構造の内側に、前記透明導電コーティングが存在している。
【００１１】
本発明は、外側のコーティング除去構造と内側のコーティング除去構造とを備えた本発明によるパネルは、高周波数の電磁放射に対して十分高い透過性を有しているという認識に基づいている。先行技術によるパネルとは異なり、透明導電コーティングを大面積にわたってコーティング除去する必要はない。パネルの視覚的眺望と美しい外観イメージを実質的に損なうことのないごく僅かな線幅を有するコーティング除去構造で十分である。
【００１２】
このために、本発明によるパネルは、透明導電コーティングを備えた第１のパネルから成る単層パネルとして形成することができる。
【００１３】
選択的に本発明によるパネルは、複層パネルとして形成することができる。本発明による複層パネルは、好適には、第１のパネルと、中間層と、第２のパネルとを有しており、前記中間層と第１のパネルとの間に、かつ／又は前記中間層と第２のパネルとの間に配置された少なくとも１つの透明導電コーティングを有している。透明導電コーティングは支持フィルム上に配置することもでき、この支持フィルムは好適には別の中間層を介して、第１のパネルと第２のパネルの内側に貼り合わされている。
【００１４】
第１のパネル及び／又は第２のパネルは、単層パネルの場合でも複層パネルの場合でも、単層パネル、又は貼り合わせにより堅固に結合された１つのユニットを成す２つ以上のパネルから成る既に貼り合わされた複層パネルであって良い。
【００１５】
本発明によるパネルの有利な実施態様では、外側のコーティング除去構造と内側のコーティング除去構造は、長方形、菱形、台形、特に正方形の形状を有している。選択的にコーティング除去構造は、十字形、楕円形、又は円形の形状を有していて良い。このような形状により、高周波数の電磁放射に関して特に高い透過性を得ることができる。
【００１６】
選択的には、コーティング除去構造は、６角形の、特に等辺を有する正６角形の形状、又は８角形、特に正８角形の形状を有していて良い。このような形状により、様々な極性方向のもとで高周波数の電磁放射に対して特に高い透過性を得ることができる。
【００１７】
本発明によるパネルの好適な実施態様では、外側のコーティング除去構造は、透明導電コーティングによって完全に取り囲まれている。換言すると、外側のコーティング除去構造の外側に位置する縁部が、透明導電コーティングによって完全に取り囲まれている。
【００１８】
本発明によるパネルの別の好適な実施態様では、内側のコーティング除去構造の内側に位置する縁部が、透明導電コーティングによって完全に取り囲まれている。
【００１９】
別の好適な実施態様では、外側のコーティング除去構造と内側のコーティング除去構造との間の中間領域は、透明導電コーティングによって完全に埋められている。このように形成された二重構造は、僅かなパターニングの手間によって、高周波数の電磁放射に対する高い透過性が得られるので特に有利である。同時に、プロセス時間及びプロセスコストを低く維持することができる。
【００２０】
本発明によるパネルの好適な実施態様では、コーティング除去構造間の間隔ｂは０．５ｍｍ〜３０ｍｍであり、好適には１ｍｍ〜５ｍｍである。このような間隔ｂの場合に、高周波数の電磁放射に対して特に低い透過減衰量が認められる。最良の間隔ｂは、パネルの透過性を最適化させたい高周波数の電磁放射の周波数に依存することがわかる。この間隔ｂは簡単なシミュレーションにより算出することができる。
【００２１】
外側のコーティング除去構造と内側のコーティング除去構造とは特に同じ形状を有している。特に好適な実施態様では、外側のコーティング除去構造と内側のコーティング除去構造とは互いに同心的に配置されている。即ち、両コーティング除去構造は共通の中心点を有しており、同じ形状の場合、構造のコーティング除去線の間に一定の間隔を有している。
【００２２】
本発明によるパネルの別の好適な実施態様では、様々な形状の複数のコーティング除去構造が１つのパネル上に配置されている。この構成は、複数の周波数範囲のための比較的広い帯域幅及び様々な極性化を得ることができるという特別な利点を有している。
【００２３】
別の好適な構成では、内側のコーティング除去構造の内側領域は透明導電コーティングによって完全に埋められている、又は別のより小さい外側のコーティング除去構造と別のより小さい内側のコーティング除去構造とから成る１つの又は複数の別の二重構造を有している。これにより、僅かなパターニングの手間によって、高周波数の電磁放射に対する特に高い透過性が得られる。同時に、プロセス時間及びプロセスコストを低く維持することができる。
【００２４】
本発明によるパネルの別の有利な実施態様では、外側のコーティング除去構造と内側のコーティング除去構造とは、少なくとも１つの付加的なコーティング除去線によって、好適には２〜１００の付加的なコーティング除去線によって互いに接続されている。付加的なコーティング除去線は好適には、直線であり、かつ／又はコーティング除去構造に対して垂直に配置されている。これらの線の間隔は好適には、高周波数の電磁放射の波長λの１／４よりも小さく、特に好適には、λ／２０〜λ／５００である。選択的には、付加的なコーティング除去線は弓形の、例えばサイン曲線状の延在を有していて良い。付加的なコーティング除去線は、外側のコーティング除去構造４．１と内側のコーティング除去構造４．２との間に、妨害となる磁場を殆ど誘起しない電流を形成することができるという特別な利点を有している。これにより、高周波数の電磁放射に関して特に高い透過性を得ることができる。特に好適な構成では、外側のコーティング除去構造と内側のコーティング除去構造との間の付加的なコーティング除去線の面積は、外側のコーティング除去構造と内側のコーティング除去構造との間の中間領域の面積の０．１％〜２５％であり、好適には１％〜５％である。これにより、僅かなパターニングの手間によって、高周波数の電磁放射に対する高い透過性が得られる。同時に、プロセス時間及びプロセスコストを低く維持することができる。
【００２５】
別の好適な構成では、本発明によるコーティング除去構造は、０．０２５ｍｍ〜０．３ｍｍの、好適には０．０３ｍｍ〜０．１４ｍｍの線幅ｄを有している。このような線幅は技術的に簡単に、例えばレーザーパターニングによって形成することができる。さらに、パネルからの視覚的眺望は殆ど損なわれない。
【００２６】
透明導電コーティングは、コーティング除去構造を有する少なくとも１つの領域、好適には少なくとも４つの領域、特に好適には１０〜５０の領域を有している。これらの領域は好適には水平かつ／又は垂直に配置されている。水平かつ／又は垂直の配置からの僅かなずれは、透明導電コーティングにおけるコーティング除去構造が平らなパネル上でコーティング除去され、次いでこのコーティング除去構造を有したパネルが曲げられることにより生じる。コーティング除去線のこのような分布により、特に低い透過減衰量と、パネル後方での送受信出力の良好な分布が得られる。水平かつ／又は垂直に配置されたコーティング除去構造を有した領域は、全体として、例えば１０°〜８０°の、好適には３０°〜５０°の水平に対する角度αを有していても良い。
【００２７】
コーティング除去構造と、直接隣接するコーティング除去構造間の中間室とを含む領域の面積の割合は好適には、パネルの面積全体の７％〜２５％である。このような面積の割合より、特に低い透過減衰量と、パネル後方での送受信出力の良好な分布が得られる。同時に、コーティング除去のためのプロセスコストに対する透過性の改善の良好な比率が得られる。
【００２８】
このような領域とコーティング除去構造の数は、透過減衰量に対する必要性とパネルのサイズに応じて調整される。フロントガラスの場合、特に内室のサイズと構造が考慮される。
【００２９】
フロントガラスとしての本発明の好適な実施態様では、コーティング除去構造を有する領域は、運転者のＡ−視野の外側に配置されている。運転者のＡ−視野は例えば、ＥＣＥ  Ｒ４３基準の添付物１８により規定されている。コーティング除去構造の本発明による線幅は極めて細く、従って見た目に目立たないが、このような配置により運転者の視野におけるいかなる妨害をも回避することになる。
【００３０】
本発明の好適な実施態様では、コーティング除去構造を有する２つの隣接する領域間の最小間隔ｈは１ｍｍ〜１００ｍｍであり、好適には１ｍｍ〜１０ｍｍであって、特に好適には２ｍｍ〜６ｍｍである。この場合、最小間隔ｈは特に、パネルが最良の透過性を有するべき周波数に依存する。最小間隔ｈは好適には、２つの隣接する領域間の水平方向又は垂直方向の最小間隔である。１ｍｍよりも小さい最小間隔ｈについては、透過減衰量を不都合に高める、コーティング除去構造間の著しい連結が行われる恐れがある。
【００３１】
コーティング除去構造の長さｌ、特に外側のコーティング除去構造の最大長さは好適には１０ｍｍ〜１５０ｍｍである。この長さｌは、パネルの透過減衰量を可能な限り小さくさせたい１つの又は複数の周波数帯に合わせられている。さらに長さｌは、高周波数の電磁放射の波長、透明導電コーティングの面抵抗、及びパネルと中間層の有効比誘電率εeffに依存する。
【００３２】
ＧＳＭ９００帯の携帯電話作動のためには、長さｌは、好適には３５ｍｍ〜１２０ｍｍ、特に好適には４０ｍｍ〜６０ｍｍである。１．８ＧＨｚの範囲では、低い透過減衰量を有する長さｌは、好適には１５ｍｍ〜３５ｍｍである。十分な帯域幅において低い透過減衰量を有する最適な長さｌは、当業者により、簡単なシミュレーション及び経験の範囲で算出することができる。
【００３３】
別の好適な実施態様では、コーティング除去構造の長さｌは、特に外側のコーティング除去構造の最大長さは、面抵抗を考慮しないと、
【数１】
2016506308.tif 000003
である。この場合、λは、透過を最良にすべき波長に相当する。長さｌは好適には約
【数２】
2016506308.tif 000004
である。発明者の実験によりわかるように、この範囲の長さｌを有した構造は、十分な帯域幅において低い透過減衰量を有している。
【００３４】
本発明によるパネルの好適な実施態様では、ｂ／ｌ≦１／５であり、この場合ｂは外側のコーティング除去構造と内側のコーティング除去構造との間の間隔である。発明者の実験によりわかるように、間隔ｂと長さｌのこのような比により、透過を最適にさせたい波長範囲における本発明によるパネルを通した透過において良好かつ十分な帯域幅が得られる。
【００３５】
長方形、正方形、又は台形の形状の場合、コーティング除去構造の辺は、好適には水平又は垂直に配置されており、特に使用場所におけるパネルの組み込み状態における配置に関して水平又は垂直に配置されている。組み込み状態で、コーティング除去構造の線が水平に延在していると特に有利である。何故ならばこのような配置は視覚的に妨害が少なく、水平又は垂直に延在していない線よりも少ない散乱光と反射とが引き起こされるからである。
【００３６】
本発明によるパネルの好適な実施態様では、第１の内側のコーティング除去構造の内側に、少なくとも１つの別の外側のコーティング除去構造が配置されていて、この別の外側のコーティング除去構造の内側に、別の内側のコーティング除去構造が配置されている。別のコーティング除去構造は好適には、同じ形を有していて、好適には互いに、かつ、第１のコーティング除去構造に対して同心的に配置されている。別のコーティング除去構造は別の形を有していても良く、又はその中心がずらされて配置されていても良いことがわかる。第１の外側のコーティング除去構造と第１の内側のコーティング除去構造との間の間隔は好適には、別の外側のコーティング除去構造と別の内側のコーティング除去構造との間の間隔と同じである。これらの間隔は必ずしも同じである必要はないことがわかる。互いに入れ子状に配置された外側のコーティング除去構造の長さが異なることにより、このような形式の本発明によるパネルは、複数の周波数範囲に関して改善された透過性を有している。
【００３７】
このパネルは好適にはガラス、特に好適には平面ガラス、フロートガラス、石英ガラス、ホウケイ酸ガラス、ソーダ石灰ガラス、又はクリアなプラスチック、好適には剛性でクリアなプラスチック、特にポリエチレン、ポリプロピレン、ポリカーボネート、ポリメチルメタクリレート、ポリスチレン、ポリアミド、ポリエステル、ポリ塩化ビニル及び／又はこれらの混合物を含有している。適当なガラスは例えば欧州特許第０８４７９６５号明細書により公知である。
【００３８】
パネルの厚さは様々に変更可能であり、特に個別のケースの必要に応じて変更することができる。１．０ｍｍ〜２５ｍｍ、好適には１．４ｍｍ〜２．１ｍｍの標準的な厚さを有したパネルが好適には使用される。パネルのサイズは様々に変更可能であり、本発明による使用のサイズに合わせられる。
【００３９】
本発明の好適な実施態様では、パネルは誘電特性と、２〜８の比誘電率を有している。ポリマから成るパネルは好適には、２〜５の比誘電率を有している。ガラスから成るパネルは好適には、６〜８の、特に約７の比誘電率を有している。
【００４０】
パネルは任意の３次元形状を有することができる。好適にはこの３次元形状は影区域を有していないので、例えば陰極スパッタリングによってコーティングすることができる。好適にはパネルは扁平であって、又は僅かに又は大きく、空間の１つの方向又は複数の方向に曲げられている。パネルは、無色又は有色であって良い。
【００４１】
複層パネルとしての本発明によるパネルの好適な実施態様では、パネルのうちの少なくとも１つがガラスを含み、パネルのうちの少なくとも１つがプラスチックを含んでいる。車両パネルとしての本発明による使用では特に、外側に位置するパネルがガラスを、内側に位置するパネルがプラスチックを含んでいる。
【００４２】
複層パネルのパネルは少なくとも１つの中間層によって互いに結合されている。中間層は好適には、熱可塑性プラスチック、例えばポリビニルブチラール（ＰＶＢ）、エチレンビニルアセテート（ＥＶＡ）、ポリウレタン（ＰＵ）、ポリエチレンテレフタレート（ＰＥＴ）、又はこれらから成る複数の層を有しており、好適には０．３ｍｍ〜０．９ｍｍの厚さを有している。
【００４３】
本発明による透明導電コーティングは、電磁放射、好適には３００〜１３００ｎｍの波長の電磁放射、特に可視光に対して透過性である。「透過性である」とは、複層パネルの全透過性が、フロントガラス及び前方のサイドパネルについての法的な規定に相応するもので、特に可視光に対しては好適には７０％よりも高い、特に７５％よりも高い透過性を有していることを意味する。後方のサイドパネル及びリアウィンドに関しては「透過性である」とは、１０％〜７０％の光透過性を意味するものであっても良い。
【００４４】
透明導電コーティングは好適には、機能性のコーティングであって、特に好適には日光保護効果を有した機能性のコーティングである。日光保護効果を有するコーティングは、赤外線範囲、ひいては日光入射の範囲の反射特性を有している。これにより日光による車両若しくは建造物の内室の加熱が回避される。このようなコーティングは当業者には公知であり、典型的には少なくとも１つの金属、特に銀又は銀含有合金を有している。透明導電コーティングは、一連の複数の個別層を有することができ、特に少なくとも１つの金属層と、誘電層と、例えば少なくとも１つの金属酸化物とを含んでいて良い。金属酸化物は好適には、酸化亜鉛、酸化スズ、酸化インジウム、酸化チタン、酸化ケイ素、酸化アルミニウム等、並びにこれらのうち１つ又は複数から成る組み合わせを含む。誘電材料は、窒化ケイ素、炭化ケイ素、又は窒化アルミニウムを含んでいても良い。
【００４５】
このような層構造は一般的に、磁界援用式の陰極スパッタリングのような真空法により行われる一連の析出過程により得られる。銀層の両面上に、特にチタン又はニオブを含む極めて微細な金属層を設けることもできる。下方の金属層は付着層及び結晶化層として利用される。上方の金属層は、その後のプロセスステップ中に銀の変化を阻止する保護層及びゲッター層として利用される。
【００４６】
特に適した透明導電コーティングは、少なくとも１つの金属を含み、好適には銀、ニッケル、クロム、ニオブ、スズ、チタン、銅、パラジウム、亜鉛、金、カドミウム、アルミニウム、シリコン、タングステン、又はこれらの合金、及び／又は少なくとも１つの金属酸化物層、好適にはスズドープ酸化インジウム（ＩＴＯ）、アルミニウムドープ酸化亜鉛（ＡＺＯ）、フッ素ドープ酸化スズ（ＦＴＯ、ＳｎＯ２：Ｆ）、アンチモンドープ酸化スズ（ＡＴＯ、ＳｎＯ２：Ｓｂ）、及び／又はカーボンナノチューブ、及び／又は視覚的に透明な導電ポリマ、好適にはポリ（３，４−エチレンジオキシチオフエン）、スルホン酸ポリスチレン、ポリ（４，４−ジオクチルシクロペンタジチオフェン）、２，３−ジクロロ−５，６−ジシアノ−１，４−ベンゾキノン、これらの混合物及び／又はコポリマを含む。
【００４７】
透明導電コーティングの厚さは、広範囲に変更可能であり、個別のケースの必要に応じて適合させることができる。この場合、重要であるのは、透明導電コーティングの厚さは、電磁放射、好適には３００〜１３００ｎｍの波長の電磁放射、及び特に可視光に対して不透過性である程大きすぎてはならないことである。透明導電コーティングは好適には１０ｎｍ〜５μｍの、特に好適には３０ｎｍ〜１μｍの層厚さを有している。
【００４８】
透明導電コーティングの面抵抗は、好適には０．３５Ω／ｓｑ〜２００Ω／ｓｑ、好適には０．５Ω／ｓｑ〜２００Ω／ｓｑ、極めて好適には０．６Ω／ｓｑ〜３０Ω／ｓｑ、特に２Ω／ｓｑ〜２０Ω／ｓｑである。透明導電コーティングは、原理的には、その使用において僅かな光透過性しか必要でない場合には特に、０．３５Ω／ｓｑよりもさらに低い面抵抗を有していて良い。透明導電コーティングは、好適には良好な赤外線反射特性を、かつ／又は特に低い放射（Ｌｏｗ−Ｅ）を有している。
【００４９】
本発明による複層パネルの好適な実施態様では、少なくとも１つの透明導電層が、パネルの内側に位置する面のうちの少なくとも１つの面の上に配置されている。複層パネルが２つのパネルから成っている場合、透明導電層は、一方又は他方のパネルの内側に位置する面上に位置することができる。選択的に、それぞれ１つの透明導電層が、内側に位置する両面にそれぞれ配置されていても良い。複層パネルが２つよりも多くのパネルから成っている場合、複数の透明導電コーティングが、これらのパネルの内側に位置する複数の面上に位置していても良い。この場合、コーティング除去構造を有した領域は好適には、低い透過減衰量を保証するために、異なるコーティング内に合同となるように配置されている。
【００５０】
選択的に、透明導電コーティングを、２つの熱可塑性中間層の間に埋め込むことができる。このとき透明導電コーティングは好適には１つの支持フィルム又は支持パネル上に形成される。支持フィルム又は支持パネルは好適にはポリマ、特にポリビニルブチラール（ＰＶＢ）、エチレンビニルアセテート（ＥＶＡ）、ポリウレタン（ＰＵ）、ポリエチレンテレフタレート（ＰＥＴ）、又はこれらから成る組み合わせを有している。
【００５１】
本発明の選択的な実施態様では、透明導電層又は透明導電層を備えた支持フィルムは、単層パネルの１つの面上に配置されている。
【００５２】
本発明は、上述したような本発明によるパネルを製造する方法であって、少なくとも、
（ａ）透明導電コーティングを、第１のパネルの外面及び／又は内面上に形成し、
（ｂ）少なくとも１つの外側のコーティング除去構造と内側のコーティング除去構造とを有した少なくとも１つの領域を前記透明導電コーティングに設け、この場合、前記外側のコーティング除去構造と前記内側のコーティング除去構造との間、及び前記内側のコーティング除去構造の内側に、前記透明導電コーティングが存在している。
【００５３】
本発明による方法の選択的な実施態様では、透明導電コーティングを支持フィルム上に、例えばＰＥＴフィルム上に形成することができる。支持フィルムを直接に、又は少なくとも１つの中間層を介して、第１のパネルに結合させることができる。第１のパネルとの結合前又は結合後に、コーティング除去構造を有した領域を、透明導電コーティングに設けることができる。
【００５４】
方法ステップ（ａ）における透明導電コーティングの形成は、公知の方法によって、好適には磁界援用式の陰極スパッタリングによって行うことができる。陰極スパッタリングは、第１のパネルの簡単、迅速、安価かつ均一なコーティングという観点で特に好適である。しかしながら透明導電コーティングを、例えば蒸着、化学気相成長（ＣＶＤ）、プラズマ援用式化学気相成長（ＰＥＣＶＤ）、又は湿式化学法によって形成することもできる。
【００５５】
第１のパネルを、方法ステップ（ａ）の後に熱処理することができる。この場合、導電コーティングを有した第１のパネルを少なくとも２００℃の、好適には少なくとも３００℃の温度に加熱する。熱処理により、透明導電コーティングの透過性の上昇及び／又は面抵抗の減少が得られる。
【００５６】
第１のパネルを、方法ステップ（ａ）後に、典型的には５００℃〜７００℃の温度で曲げることができる。平らなパネルにコーティングする方が技術的に簡単であるので、第１のパネルを曲げるべき場合にはこのようなやり方が有利である。しかしながら選択的には、例えば透明導電コーティングが、曲げプロセスを損傷なく達成するのに適していない場合には、方法ステップ（ａ）の前に第１のパネルを曲げることもできる。
【００５７】
透明導電コーティングにおけるコーティング除去構造のコーティング除去は、好適にはレーザービームにより行われる。金属薄膜パターニングの方法は例えば欧州特許第２２０００９７号明細書又は欧州特許第２１３９０４９号明細書により公知である。コーティング除去の幅は、好適には１０μｍ〜１０００μｍ、特に好適には２５μｍ〜３００μｍ、特に７０μｍ〜１４０μｍである。この範囲では、レーザービームにより特にきれいで残留物のないコーティング除去が行われる。レーザービームによるコーティング除去は特に有利である。何故ならば、コーティング除去線は視覚的極めて目立たないもので、外観イメージ及び眺望は僅かにしか損なわれないからである。レーザーカットの幅よりも大きな幅ｄの線のコーティング除去は、レーザービームによる線の複数回の通過により行われる。従ってプロセス時間及びプロセスコストは、線の幅が増大するほど増加する。選択的に、コーティング除去は、機械的な削り取り並びに化学的又は物理的エッチングによって行うことができる。
【００５８】
本発明による方法の好適なさらなる構成では、少なくとも以下のさらなるステップを有している。
（ｃ）熱可塑性中間層を第１のパネルの上に配置し、第２のパネルを熱可塑性中間層上に配置し、
（ｄ）第１のパネルと第２のパネルとを熱可塑性中間層を介して結合させる。
【００５９】
方法ステップ（ｃ）では、第１のパネルを好適には、第１のパネルの、導電コーティングを備えた表面が中間層に面するように配置する。これは透明導電コーティングが、内部に貼り合わせられることによって環境的影響及び使用者による接触から保護されるという特別な利点を有する。
【００６０】
熱可塑性中間層は、単一の熱可塑性フィルムによって形成され、又は、互いに面上に重ねられて配置された２つ以上の熱可塑性フィルムによって形成されても良い。
【００６１】
方法ステップ（ｄ）における第１のパネル及び第２のパネルの結合は、好適には熱、真空、及び／又は圧力の作用下で行われる。パネルを製造する公知の方法を利用することもできる。
【００６２】
例えばいわゆるオートクレーブ法が、約１０ｂａｒ〜１５ｂａｒの高められた圧力のもと、１３０℃〜１４５℃の温度で約２時間以上行われて良い。公知の真空バッグ法又は真空リング法は例えば、約２００ｍｂａｒ、８０℃〜１１０℃で行われる。第１のパネルと、熱可塑性の中間層と、第２のパネルとは、カレンダ成形機において、少なくとも１つのローラ対の間で、１つのパネルとなるように加圧することもできる。このような形式の装置はパネルを製造するために公知であり、プレスユニットの上流側に通常少なくとも１つの加熱トンネルを有している。プレス過程中の温度は例えば４０℃〜１５０℃である。カレンダ加工法とオートクレーブ法の組み合わせが実際に特に有利であることがわかっている。選択的には真空ラミネータを使用することができる。真空ラミネータは、単数又は複数の加熱可能かつ真空引き可能な室から成っていて、この室内で第１のパネルと第２のパネルとを、例えば約６０分以内で、０．０１ｍｂａｒ〜８００ｍｂａｒの減じられた圧力及び８０℃〜１７０℃の温度で貼り合わせることができる。
【００６３】
曲げられた複層パネルを製造するために、第１のパネルと第２のパネルとを方法ステップ（ｃ）の前に、公知の加熱曲げプロセスで曲げることができる。この場合、第１のパネルと第２のパネルとを好適には一緒に曲げることができるので、両パネルの同じ曲率が保証されている。
【００６４】
本発明はさらに、上述したようなパネルの、陸上移動手段、水上移動手段、又は空中移動手段の車両車体又は車両ドアにおける、建造物におけるファサードの部分としての又は建造物窓としての、かつ／又は家具若しくは器具への嵌め込み部分としての使用を対象としている。
【００６５】
フロントガラスとしての本発明によるパネルの使用は特に有利である。従って、携帯電話送信ステーションは例えば自動車道路又は高速道路に沿って設置されている。高周波数の電磁放射はこれにより走行方向で前方から本発明によるフロントガラスを通過して車両内室へと到る。街中では、携帯電話送信ステーションは通常、屋根の上又は高い位置に設けられていて、上方から下方へと放射される。衛星ナビゲーション信号も、上方から車両へと入射する。空気力学を改善するためにフロントガラスが大きく傾斜した組み込み位置を有しているので、携帯電話信号又は衛星ナビゲーション信号は上方からも、パネルを通過して車両内室に到ることがある。
【００６６】
以下に本発明を図面及び一例につき詳しく説明する。図面は完全に正確な寸法ではない。本発明は図面によって限定されるものではない。
【図面の簡単な説明】
【００６７】
【図１】本発明によるパネルを概略的に示す平面図である。
【図２】先行技術によるパネルを概略的に示す平面図である。
【図３Ａ】本発明によるパネルを概略的に示す平面図である。
【図３Ｂ】図３ＡのＡ−Ａ´線に沿った横断面図である。
【図３Ｃ】図３Ａに示した本発明によるパネルの部分Ｙを拡大して示した図である。
【図３Ｄ】図３Ｃに示した本発明によるパネルの部分Ｚを拡大して示した図である。
【図４】本発明によるパネルの選択的な実施態様の図３ＡのＡ−Ａ´線に沿った横断面図である。
【図５】本発明によるパネルの選択的な実施態様の図３ＡのＡ−Ａ´線に沿った横断面図である。
【図６】本発明によるパネルの選択的な実施態様を概略的に示す平面図である。
【図７】図３Ｃに示した本発明によるパネルの選択的な実施態様の部分Ｚを拡大して示した図である。
【図８】図３Ｃに示した本発明によるパネルの選択的な実施態様の部分Ｚを拡大して示した図である。
【図９】図３Ｃに示した本発明によるパネルの選択的な実施態様の部分Ｚを拡大して示した図である。
【図１０】図３Ｃに示した本発明によるパネルの選択的な実施態様の部分Ｚを拡大して示した図である。
【図１１】図３Ｃに示した本発明によるパネルの選択的な実施態様の部分Ｚを拡大して示した図である。
【図１２Ａ】図３Ａに示した本発明によるパネルの選択的な実施態様の部分Ｙを拡大して示した図である。
【図１２Ｂ】図１２Ａに示した本発明によるパネルの部分Ｚを拡大して示した図である。
【図１３】図３Ａに示した本発明によるパネルの選択的な実施態様の部分Ｙを拡大して示した図である。
【図１４】図３Ｃに示した本発明によるパネルの選択的な実施態様の部分Ｚを拡大して示した図である。
【図１５】図３Ａに示した本発明によるパネルの選択的な実施態様の部分Ｙを拡大して示した図である。
【図１６Ａ】本発明による方法の実施態様のフローチャートを示す図である。
【図１６Ｂ】本発明による方法の実施態様のフローチャートを示す図である。
【図１７】領域間の間隔ｈに依存した透過減衰量を示すグラフである。
【図１８】外側のコーティング除去構造と内側のコーティング除去構造との間の間隔ｂに依存した透過減衰量を示すグラフである。
【図１９】様々な実施態様についての透過減衰量を示すグラフである。
【図２０】本発明によるパネルの選択的な実施態様についての透過減衰量を示すグラフである。
【図２１】本発明による選択的なパネルの一部を概略的に示す平面図である。
【図２２】図２１に示した本発明によるパネルの実施態様についての透過減衰量を示すグラフである。
【００６８】
図１には、本発明によるパネル１０の概略図が示されている。このパネル１０は第１のパネル１．１を有していて、この第１のパネル１．１の外面ＩＩＩ上には、透明導電コーティング３が配置されている。透明導電コーティング３は長方形の領域９を有している。領域９は、外側のコーティング除去構造４．１の外側の形状によって画定されている。外側のコーティング除去構造４．１に沿って、透明導電コーティング３は設けられていないか、又は透明導電コーティング３が、例えばレーザーパターニングにより除去されている。外側のコーティング除去構造４．１の内側に同様に長方形の、内側のコーティング除去構造４．２が配置されている。内側のコーティング除去構造４．２に沿って、透明導電コーティング３は設けられていないか、又は透明導電コーティング３が、例えばレーザーパターニングにより除去されている。外側のコーティング除去構造４．１は、透明導電コーティング３によって完全に取り囲まれている。さらに、外側のコーティング除去構造４．１と内側のコーティング除去構造４．２との間並びに内側のコーティング除去構造４．２の内側に、透明導電コーティング３の一部が配置されている。この実施態様では、外側のコーティング除去構造４．１と内側のコーティング除去構造４．２との間の中間領域並びに内側のコーティング除去構造４．２の内側領域は、透明導電コーティング３によって完全に埋められている。外側のコーティング除去構造４．１と内側のコーティング除去構造４．２とによって、高周波数の電磁放射を透過させない透明導電コーティング３は透過性となる。コーティング除去構造４．１，４．２は例えばレーザーパターニングによりコーティング除去されており、例えば０．１ｍｍの極めて小さい線幅しか有していない。本発明によるパネル１０からの眺望は実質的には損なわれず、コーティング除去構造４．１，４．２は殆ど見えない。
【００６９】
図２には、先行技術によるパネル１２が概略的に示されている。このパネル１２は、図１のパネル１０と同様に第１のパネル１．１を有していて、この第１のパネル１．１の外面ＩＩＩ上には、透明導電コーティング３が配置されている。パネル１２を高周波数の電磁放射透過性にするために、透明電磁コーティング３は長方形のコーティング除去領域４を有している。図１に示した本発明によるパネル１０とは異なり、コーティング除去領域４の面積は極めて大きく、パネル１２上におけるコーティング除去部は明らかに知覚される。このようなパネル１２の眺望は損なわれており、例えば車両のパネルには適していない。
【００７０】
図３Ａには、車両のフロントガラスの例における本発明によるパネル１０が概略的な平面図で示されている。図３Ｂには、図３ＡのＡ−Ａ´線に沿った横断面図が複層パネルの例で示されている。図３Ｃには、図３Ａの部分Ｙが拡大されて示されており、図３Ｄには、図３Ｃの部分Ｚが拡大されて示されている。パネル１０は、発明を限定するものではないが、ＧＳＭ９００帯の携帯電話の放射線透過に最適化されている。パネル１０は複層パネル１を含み、この複層パネル１は、熱可塑性の中間層２を介して互いに堅固に結合されている２つの個別のパネル、即ち、第１の剛性パネル１．１と第２の剛性パネル１．２とから成っている。個々のパネル１．１，１．２はほぼ同じサイズであって、例えばガラス、特にフロートガラス、キャストガラス、セラミックガラスから製造されている。この場合、パネル１．１，１．２は同様に非ガラス材料から成っていて良く、例えばプラスチック、特にポリスチレン（ＰＳ）、ポリアミド、（ＰＡ）、ポリエステル（ＰＥ）、ポリ塩化ビニル（ＰＶＣ）、ポリカーボネート（ＰＣ）、ポリメチルメタクリレート（ＰＭＡ）、又はポリエチレンテレフタレート（ＰＥＴ）から製造することができる。一般的に、十分な透明を有し、十分な化学的耐性と適当な形状安定性及びサイズ安定性を備えたあらゆる材料を使用することができる。別用途には、例えば装飾部分としては、第１のパネル１．１及び第２のパネル１．２をフレキシブルかつ／又は不透明の材料から製造することもできる。第１のパネル１．１と第２のパネル１．２の各厚さは、使用に応じて広く変更可能であり、ガラスであれば例えば１〜２４ｍｍの範囲にすることができる。この実施態様では、第１のパネル１．１は２．１ｍｍの厚さを、第２のパネル１．２は１．８ｍｍの厚さを有している。
【００７１】
パネル面はローマ数字Ｉ〜ＩＶで示されており、面Ｉは複層パネル１の第２のパネル１．２の外面に、面ＩＩは第２のパネル１．２の内面に、面ＩＩＩは複層パネル１の第１のパネル１．１の外面に、面ＩＶは第１のパネル１．１の内面に相当する。外面とは、本発明では、車両外空間に向いているパネル面を意味している。内面とは、車両内室に向いているパネル面である。フロントガラスとしての使用においては、面Ｉは外側の環境に向いていて、面ＩＶは車両の車室に向いている。面ＩＶは外側に向いていても良く、面Ｉは自動車の内室に向いていても良いことがわかる。
【００７２】
第１のパネル１．１と第２のパネル１．２を結合する中間層２は好適には接着性のプラスチックを含み、好適にはポリビニルブチラール（ＰＶＢ）、エチレンビニルアセテート（ＥＶＡ）、又はポリウレタン（ＰＵ）を主体としたプラスチックを含む。
【００７３】
複層パネル１は、可視光、例えば波長範囲３５０ｎｍ〜８００ｎｍに対して透過性であって、この場合、「透過性」とは、５０％以上の、好適には７０％以上の、特に好適には７５％以上の光透過性を意味する。
【００７４】
複層パネル１のパネル１．１，１．２の比誘電率は、フロートガラスから成るパネルでは、６〜８であり、例えば７である。
【００７５】
図示の例では、透明導電コーティング３は、内側に位置する第１のパネル１．１の、中間層２に面した面ＩＩＩ上に形成されている。透明導電コーティング３は、例えば複層パネル１の赤外線反射層として機能する。これは、入射する日光の熱放射の大部分の割合が反射されることを意味している。車両で複層パネル１を使用する場合、この複層パネル１は、日光入射時の内室の加熱を減じるために機能する。透明導電コーティング３は例えば欧州特許第０８４７９６５号明細書により公知である。これは２つの銀層を含み、これらの銀層はそれぞれ、複数の金属層と金属酸化層との間に埋め込まれている。透明導電コーティング３は約４Ω／ｓｑの面抵抗率を有している。透明導電コーティング３は電気加熱可能なコーティングとしても機能することができ、公知のバスバーによって接触させて、電圧源に接続させることができる。
【００７６】
透明導電コーティング３は、外側に位置する第２のパネル１．２の、熱可塑性の中間層２に面した面ＩＩ上に、又はパネル内側の両面ＩＩ，ＩＩＩに配置することもできる。透明導電コーティング３を付加的に、又は単独で、複層パネル１の外面Ｉ，ＩＶのいずれか、又は両方Ｉ，ＩＶの上に配置することもできる。
【００７７】
透明導電コーティング３は、縁部のコーティング除去領域５を除いて、第１のパネル１．１全体の上に設けられている。領域５における縁部のコーティング除去は、透明導電コーティング３の接触を阻止し、このことは腐食し易いコーティングでは有利である。さらに第２のパネル１．２に例えば不透明のカラー層が設けられている。このカラー層は面ＩＩ上に設けられており、フレーム状に取り囲むマスキングストリップを形成する（詳しくは図示せず）。カラー層は好適には、第１のパネル１．１又は第２のパネル１．２に焼き付けることができる非導電性の黒色に着色された材料から成っている。マスキングストリップは一方では、複層パネル１を車両車体に接着する接着条片を見えなくさせ、他方では、使用される接着材料用のＵＶ保護層として機能する。
【００７８】
さらに透明導電コーティング３は複数の領域９で部分的にコーティング除去されている。図３Ａに示した例では、それぞれ１２の領域９を含む、ほぼ垂直に互いに重ねられて配置された２つの列が配置されている。２４の領域９は、パネル１の上縁における部分１１において、水平に互いに隣接して配置されている。垂直及び水平の概念は、車両パネルの組み込み状態における位置を表している。２４の領域９は、パネル１の長辺のパネル上縁に、ＥＣＥ  Ｒ４３の基準の添付物１８により規定された運転者のＡ−視野７の外側に配置されている。
【００７９】
パネル１０の上縁部には、コーティング除去構造４．１，４．２を有したそれぞれ１２の領域９から成る２つの列が垂直方向で互いに重ねられて配置されている。２４の領域９の面積は、複層パネル１の総面積の約７％である。このような面積の割合は、加工費、外観、透過性の相互関係が特に良好である。２つの領域９の間の水平方向間隔ｈ及び垂直方向間隔ｈは例えば２ｍｍである。
【００８０】
図３Ｃには、８つの領域９を含む図３Ａの部分Ｙが拡大されて示されており、図３Ｄには、図３Ｃの部分Ｚが拡大されて示されている。各領域９は、正方形の外側のコーティング除去構造４．１と内側のコーティング除去構造４．２とを有している。正方形の上辺及び下辺は、組み付け方向に対して水平に配置されている。この水平の方向付けは、垂直に送られる携帯電話の受信に特に有利である。本発明は、それが有利であるならば、異なる角度をなして配置されたコーティング除去構造４．１，４．２も含んでいる。
【００８１】
コーティング除去構造４．１，４．２のコーティング除去部の線幅ｄは一定であり、例えば１００μｍである。このように小さい線幅は、視覚的に目には殆ど見えず、パネル１０からの眺望を損なうことはないので、パネル１０は、車両のフロントガラスとしての使用に適している。
【００８２】
外側のコーティング除去構造４．１から内側のコーティング除去構造４．２までの間隔ｂは、垂直方向（ｂｖ）及び水平方向（ｂｈ）で共に、例えば１ｍｍである。間隔ｂｖとｂｈとは同じである必要はないことがわかる。外側のコーティング除去構造４．１は、領域９の寸法を、特に領域９の長さｌを規定する。図示した例では、外側のコーティング除去構造４．１は、例えば４２ｍｍの長さｌを有している。間隔ｂは特に、高周波数の電磁放射の透過性の帯域幅及び高さに影響を与える。
【００８３】
長さｌは、パネル１０が最大限に透過すべき周波数ｆを有した高周波数の電磁放射に合わせられている。長さｌは、正方形のコーティング除去構造の場合には、式
【数３】
2016506308.tif 000005
による第１の近似値であって、パネル１．１，１．２と中間層２の有効比誘電率εeffに依存しており、この場合、ｃは光の速度である。コーティング除去構造４．１，４．２を有する領域９が隣接して配置されていることにより、領域９は互いに影響し合い、ひいては、共鳴が形成され、周波数がずれる場合がある。このようなずれが生じる場合には、長さｌ、幅ｂ、垂直方向間隔ｄ、水平方向間隔ｈを適合及び最適化する必要がある。これは当業者に公知のシミュレーションによって算出することができる。
【００８４】
図３Ａに示されたパネル１０は、ＧＳＭ９００の携帯電話帯の作動にとって最適化された。コーティング除去領域の長さｌのようなパラメータを変更することによりパネル１０は簡単に、別の周波数帯及び複数の周波数帯の透過について最適化することができる。
【００８５】
図４には、複層パネル１を有した本発明によるパネル１０の実施態様の図３ＡのＡ−Ａ´線に沿った横断面図が示されている。この実施態様では、第１のパネル１．１と第２のパネル１．２とが３層の中間層に結合されている。３層の中間層は、例えばポリエチレンテレフタレート（ＰＥＴ）を含むフィルム６を有しており、このフィルム６は、接着性のプラスチック、例えばポリビニルブチラール（ＰＶＢ）の２つの層２の間に配置されている。ＰＥＴフィルムはこの場合、例えば、透明導電コーティング３の支持体として形成されている。
【００８６】
図５には、単層パネル１´を有した本発明によるパネル１０の実施態様の図３ＡのＡ−Ａ´線に沿った横断面図が示されている。コーティング除去構造４．１，４．２を備えた領域９を有した透明導電コーティング３は、単層パネル１´の、車両内室に面した内面ＩＶ上に配置されている。単層パネル１´の形状及び材料は図３Ａの第１のパネル１．１に相当する。透明導電コーティング３と領域９も同様に、図３Ａの実施態様に相応するものである。透明導電コーティング３はこの場合、例えばいわゆるＬｏｗ−Ｅ層であって、赤外線放射に対して低放射を有している。透明導電コーティング３は例えば、２０Ω／ｓｑの面抵抗率を有した酸化インジウム・スズ（ＩＴＯ）層を含んでいる、又は該層から成っている。酸化インジウム・スズ層は環境影響に対して不活性で、引っ掻き耐性があるので、酸化インジウム・スズ層は例えば、自動車の側方パネルの、車両内室に面した表面上に配置することができる。
【００８７】
選択的には、引っ掻き耐性が低く腐食耐性が低い、又は電流によって加熱可能な透明導電コーティング３を、例えばポリエチレンテレフタレート（ＰＥＴ）又はポリフッ化ビニル（ＰＶＦ）のようなポリマフィルムを含む絶縁層によって保護することができる。選択的に、透明導電コーティング３は、酸化シリコン、酸化チタン、五酸化タンタル、又はこれらの組み合わせのような、無機の酸化物から成る絶縁性で引っ掻き耐性のあるカバー層を有することができる。
【００８８】
図６には、本発明によるパネル１０の選択的な実施態様の平面図が概略的に示されている。図３Ａとは異なり、パネルの側縁部及び下縁部に複数の別の領域９が配置されている。別の領域９によって、車両内室内側における電磁放射の本発明による透過性を向上させることができる。透過性の改善は特にパネル１０の下縁部において得られ、従って、インストルメントパネルに取り付けられたセンサ、例えばＧＰＳセンサの受信及び送信出力が改善される。パネルの下縁部には、互いに水平及び垂直に配置された例えば９の領域９から成るアッセンブリ１３が配置されている。このアッセンブリ１３はパネル１０の下縁部に対して、ひいてはパネル１０の挿入位置における水平方向に対して、例えば４５°の角度αを有している。互いに水平位置及び垂直位置にある領域９のアッセンブリ１３により、パネル１０のこの領域を通して特に高い透過性が得られる。
【００８９】
図７には、図３Ｄに示した本発明によるパネルの選択的な実施態様の部分Ｚが拡大図で示されている。図３Ｄとは異なり、外側の構造４．１と内側の構造４．２とは、一辺につき４つのコーティング除去線８によって接続されている。コーティング除去線８はこの場合、外側の構造４．１と内側の構造４．２のサイドラインに対して垂直に配置されている。コーティング除去線８は例えば０．１ｍｍの線幅を有しており、これはコーティング除去構造４．１，４．２の線幅ｄに相当する。線８の間隔は、高周波数の電磁放射の波長λの１／４よりも小さいのが望ましく、好適にはλ／２０〜λ／５００であるので、外側のコーティング除去構造４．１と内側のコーティング除去構造４．２との間には、妨害となる磁場を殆ど誘起しない電流を形成することができる。コーティング除去線８により、高周波数の電磁放射の透過減衰量は明らかに減じられるにも関わらず、透明導電コーティング３のレーザー加工の際の手間は僅かにしか増加しない。
【００９０】
図８には、図３Ｄに示した本発明によるパネル１０の選択的な実施態様の部分Ｚが拡大図で示されている。図５とは異なり、外側の構造４．１と内側の構造４．２とは、一辺につき９つのコーティング除去線８によって接続されている。これにより、図７のパネル１０と比較して透過特性はさらに改善され、即ち特に、透過減衰量は低くなる。
【００９１】
図９には、図３Ｄに示した本発明によるパネル１０の選択的な実施態様の部分Ｚが拡大図で示されている。図８とは異なり、外側の構造４．１と内側の構造４．２との間の領域４が、１ｍｍの幅ｂにわたって完全にコーティング除去されている。この実施態様は、低い透過減衰量を示している。しかしながら１ｍｍの幅ｂを有したコーティング除去領域４は極めて幅広なので、コーティング除去は視覚的に極めて目立っており、パネル１０からの眺望を悪化させている。同時に、赤外線反射作用は低くなり、レーザーによるパターニングの加工手間は極めて高くなる。
【００９２】
図１０には、図３Ｄに示した本発明によるパネル１０の選択的な実施態様の部分Ｚが拡大図で示されている。図３Ｄとは異なり、内側のコーティング除去構造４．２の内側に、別のコーティング除去構造４．３が配置されている。本発明をこれに限定するものではないが例えば、内側のコーティング除去構造４．２と別のコーティング除去構造４．３との間の間隔ｂは、外側のコーティング除去構造４．１と内側のコーティング除去構造４．２との間の間隔ｂと同じである。
【００９３】
図１１には、図３Ｄに示した本発明によるパネル１０の選択的な実施態様の部分Ｚが拡大図で示されている。図３Ｄとは異なり、外側の構造４．１と内側の構造４．２とは、弓形の、例えば特にサイン曲線状のコーティング除去線によって接続されている。このようなパネル１０は、図８のパネル１０と同様の良好な透過特性を有している。さらに、このようなパネル１０は、レーザー加工によるコーティング除去の際に利点を有している。弓形の線ガイドにより、図８の垂直に延在するコーティング除去線８をパターニングする場合よりも、所定の時間間隔におけるレーザービーム変向のためのミラー機構の変更が小さくなる。このミラー機構に作用する力はより小さく、レーザーの位置決めをより迅速に行うことができる。これによりパターニング時間は著しく減じられる。
【００９４】
図１２Ａには、図３Ａに示した本発明によるパネル１０の選択的な実施態様の部分Ｙが拡大図で示されていて、図１２Ｂには、図１２Ａの本発明によるパネル１０の部分Ｚが拡大図で示されている。この実施態様では領域９は様々な形状を有していて、例えば円形、正方形、十字形である。この実施態様は、様々な周波数に対する透過性及び高周波数の電磁放射に対する極性化を最適化し、高めることができるという利点を有している。本発明によるパネル１０はこのために例えば、様々な形と寸法のコーティング除去構造を有した複数の領域９を有することができる。
【００９５】
図１３には、図３Ａに示した本発明によるパネル１０の選択的な実施態様の部分Ｙが拡大図で示されている。この場合、透明導電コーティング３は、十字形のコーティング除去構造４．１，４．２を備えた複数の領域９を有している。
【００９６】
図１４には、図３Ａに示した本発明によるパネル１０の選択的な実施態様の部分Ｚが拡大図で示されている。内側のコーティング除去構造４．２の内側に、別の外側のコーティング除去構造４．３が配置されていて、この別の外側のコーティング除去構造４．３の内側に、別の内側のコーティング除去構造４．４が配置されている。別のコーティング除去構造４．３，４．４も例えば正方形の形を有していて、互いに、かつ、コーティング除去構造４．１，４．２に対して同心的に配置されている。別のコーティング除去構造４．３，４．４は別の形を有していて良く、又はその中心がずらされて配置されていても良いことがわかる。外側のコーティング除去構造４．１と内側のコーティング除去構造４．２との間の間隔ｂ１は例えば１ｍｍである。外側のコーティング除去構造４．３と内側のコーティング除去構造４．４との間の間隔ｂ２も例えば１ｍｍである。間隔ｂ１とｂ２とは必ずしも同じである必要はないことがわかる。外側のコーティング除去構造４．１の長さｌ１は例えば３６ｍｍであって、別のコーティング除去構造４．３の長さｌ２は例えば２４ｍｍである。本発明によるこのようなパネル１０は、複数の、この例では２つの周波数範囲に対して改善された透過性を有することができる。
【００９７】
図１５には、図３Ａに示した本発明によるパネル１０の選択的な実施態様の部分Ｙが拡大図で示されている。この場合、透明導電コーティング３は、長方形のコーティング除去構造４．１，４．２を備えた複数の領域９を有している。長方形の外側のコーティング除去構造４．１はこの場合、３６ｍｍの長辺の長さｌ１と、２４ｍｍの短辺の長さｌ２とを有している。これは、図１４に示したような入れ子式の実施態様において生じ得る異なる領域９の相互作用を回避し、改善された多帯域の透過性を達成するために特に有利である。
【００９８】
図１６Ａには、本発明によるパネル１０を製造する本発明による方法の実施態様のフローチャートが示されている。図１６Ｂには、本発明によるパネル１０を製造する本発明による方法の別の実施態様のフローチャートが示されている。図１６Ａとは異なり図１６Ｂでは、第１のパネル１．１と第２のパネル１．２とをまず曲げてから、外側のコーティング除去構造４．１と内側のコーティング除去構造４．２とが設けられる。
【００９９】
図１７〜図２０は、本発明によるパネル１０の様々な実施態様についての透過減衰のシミュレーションを示した図である。このシミュレーションは、図５に示した実施態様のように、単層パネル１´の内面ＩＶ上に透明導電コーティング３を備えた単層パネル１´について行われている。透明導電コーティング３は４Ω／ｓｑの面抵抗率を有している。透明導電コーティング３の内側には、コーティング除去構造４．１，４．２を備えた複数の領域９が配置されている。シミュレーションを単純にするために、無限数の領域９を備えた無限の大きさの単層パネル１´についてシミュレーションが行われている。
【０１００】
図１７には、２つの隣接する領域９の間の間隔ｈに依存した透過減衰量を示すグラフが示されている。領域９は、図３Ｄに示したように、正方形で、それぞれ１つの外側のコーティング除去構造４．１と内側のコーティング除去構造４．２とを有している。外側のコーティング除去構造４．１と内側のコーティング除去構造４．２との間の間隔ｂは１．５ｍｍである。外側のコーティング除去構造４．１の長さｌは、１．５ＧＨｚ（ＧＰＳ）の周波数を有する高周波数の電磁放射に合わせられており、２４ｍｍである。コーティング除去構造の線幅ｄは０．１ｍｍである。図１７のグラフには、２つの隣接する領域９の間の間隔ｈに依存した透過減衰量がｄＢの単位で示されている。信号曲線は、間隔ｈが４ｍｍのときに最小の透過減衰量を示している。この場合、透明導電コーティング３を有さない単層パネル１´と比較して、透過減衰量は約６．３ｄＢでしかない。間隔ｈが２ｍｍよりも小さい場合と、６ｍｍよりも大きい場合には透過減衰量は著しく増加する。ここで使用される１．５ＧＨｚの周波数、１．５ｍｍの間隔ｂ、０．１ｍｍの線幅ｄについては、高い透過性を有する好適な範囲は、間隔ｈが２ｍｍ〜６ｍｍのところで生じる。
【０１０１】
図１８には、外側のコーティング除去構造４．１と内側のコーティング除去構造４．２との間の間隔ｂに依存した透過減衰量を示すグラフが示されている。その他のパラメータは図１７のパラメータに相当するものである。隣接する領域９の間の間隔ｈは４ｍｍである。外側のコーティング除去構造４．１の長さｌは２４ｍｍである。コーティング除去構造の線幅ｄは０．１ｍｍである。図１８のグラフには、間隔ｂに依存した透過減衰量がｄＢの単位で示されている。信号曲線は、間隔ｂが１．５ｍｍのときに最小の透過減衰量を示している。この場合、透明導電コーティング３を有さない単層パネル１´と比較して、透過減衰量は約６．３ｄＢでしかない。間隔ｂが１ｍｍよりも小さい場合と、２ｍｍよりも大きい場合には透過減衰量は著しく増加する。ここで使用される１．５ＧＨｚの周波数、４ｍｍの間隔ｈ、０．１ｍｍの線幅ｄについては、高い透過性を有する好適な範囲は、間隔ｂが１ｍｍ〜２．２５ｍｍのところで生じる。
【０１０２】
図１９には、コーティング除去構造４．１，４．２を有する本発明による領域９の様々な実施例について、周波数に依存した透過減衰量を示すグラフが示されている。隣接する領域９の間の間隔ｈは２ｍｍであり、外側のコーティング除去構造４．１と内側のコーティング除去構造４．２との間の間隔ｂは１ｍｍであり、コーティング除去構造４．１，４．２の線幅ｄは０．１ｍｍである。単層パネル１´のその他のパラメータ及び透明導電コーティング３の面抵抗は図１７の場合と同じである。
【０１０３】
例１は、図３Ｄの実施態様による領域９の透過減衰量を示す。外側のコーティング除去構造４．１の長さｌは、携帯電話帯域ＧＳＭ９００に合わせられていて、４２ｍｍである。９００ＭＨｚの高周波数の電磁放射についての透過減衰量は約７．８ｄＢである。パネル後方での携帯電話受信が可能である。０．１ｍｍという僅かな線幅ｄであることにより、コーティング除去構造４．１，４．２を有した領域９は殆ど見えず、パネルからの眺望を損なわない。
【０１０４】
例２は、図８の実施態様による領域９の透過減衰量を示す。外側のコーティング除去構造４．１と内側のコーティング除去構造４．２とが、正方形の全ての辺において、４１のコーティング除去線８によって接続されている。コーティング除去構造４．１，４．２の１つの辺に沿った２つのコーティング除去線８の間の間隔は約１ｍｍであり、即ち、９００ＭＨｚの周波数を有した高周波数の電磁放射の波長λの約１／３３３である。コーティング除去線８は、コーティング除去構造４．１，４．２に対して垂直に延在してる。各コーティング除去線８は、図示したシミュレーションにおいて０．１ｍｍの線幅を有している。９００ＭＨｚの高周波数の電磁放射についての透過減衰量は約７．３ｄＢである。即ち、例１のパネル１０と比較して、高周波数の電磁放射に対する透過性は改善されている。パネル後方での携帯電話受信が可能であり、例１と比較して改善されている。コーティング除去線８が０．１ｍｍという僅かな線幅ｄであることにより、領域９は殆ど見えず、パネルからの眺望は妨げられない。
【０１０５】
図１９において、比較例１は、コーティング除去構造４．１，４．２を有した領域９を備えない透明導電コーティング３を有する単層パネル１´についての透過減衰量を示している。透過減衰量は約３４ｄＢと極めて高いので、例えばパネル後方での携帯電話受信は不可能である。
【０１０６】
比較例２は、先行技術による、０．１ｍｍの線幅ｄを有する正方形の１つだけのコーティング除去構造４を備えた透明導電コーティング３を有する単層パネル１´についての透過減衰量を示している。即ち、比較例２のパネル１０は、内側のコーティング除去構造４．２、又はコーティング除去構造４の外側又は内側に別のコーティング除去構造を有していない。９００ＭＨｚの周波数についての透過減衰量は約１２ｄＢである。比較例２の単層パネル１´後方での携帯電話受信は不可能であるか、極めて限定されてしか可能ではない。
【０１０７】
図８に基づく例２の透過減衰量は、９００ＭＨｚの周波数において、先行技術の比較例２の場合よりも４．７ｄＢ小さい。これは、パネル１０からの眺望や、その視覚的特性を殆ど損なうことなく、透過減衰量をファクタ３ぶん減じることができたことを意味している。
【０１０８】
図２０には、多帯域の透過性を有した図１４に示した領域９を有した図５の本発明によるパネル１０についての透過減衰量を示すグラフが示されている。この場合、パネル１０は、外側のコーティング除去構造４．１と内側のコーティング除去構造４．２とを有している。内側のコーティング除去構造４．２の内側に、別の外側のコーティング除去構造４．３が配置されていて、この別の外側のコーティング除去構造４．３の内側に、別の内側のコーティング除去構造４．４が配置されている。コーティング除去構造４．１〜４．４は、正方形の形状を有しており、互いに同心的に配置されている。外側のコーティング除去構造４．１と内側のコーティング除去構造４．２との間の間隔ｂ１は１ｍｍであって、外側のコーティング除去構造４．３と内側のコーティング除去構造４．４との間の間隔ｂ２は１ｍｍである。外側のコーティング除去構造４．１の長さｌ１は４２ｍｍであって、別のコーティング除去構造４．３の長さｌ２は２２ｍｍである。ｂ１／ｌ１は例えば１ｍｍ／４２ｍｍであって、従って１／５よりも小さい。隣接する領域９の間の間隔ｈは２ｍｍである。信号曲線は、２つの最小の透過減衰量を示している。第１の最小値は、０．７６ＧＨｚの場合に６．７ｄＢの透過減衰量を有している。第２の最小値は、２．３ＧＨｚの場合に６．７ｄＢの透過減衰量を有している。従って、本発明によるこのようなパネル１０は、複数の、この例では２つの周波数範囲に対して改善された透過性を有している。
【０１０９】
図２１には、本発明によるパネル１０の一部の平面図が概略的に示されている。６角形の外側のコーティング除去構造４．１と、６角形の内側のコーティング除去構造４．２、並びに別の６角形の外側のコーティング除去構造４．３と、別の６角形の内側のコーティング除去構造４．４とが示されている。６角形の構造４．１〜４．４はそれぞれ等辺を有する正六角形であって、互いに同心的に配置されている。中心はずらされて配置されていても良いことがわかる。外側のコーティング除去構造４．１と内側のコーティング除去構造４．２との間の間隔ｂ１は例えば１．５ｍｍである。別の外側のコーティング除去構造４．３と別の内側のコーティング除去構造４．４との間の間隔ｂ２も例えば１．５ｍｍである。間隔ｂ１とｂ２とは必ずしも同じである必要はないことがわかる。外側のコーティング除去構造４．１の長さｌ１は例えば３９ｍｍであって、別の外側のコーティング除去構造４．３の長さｌ２は例えば２８ｍｍである。コーティング除去構造４．１〜４．４の幅ｄも例えば一定であって良く、１００μｍである。
【０１１０】
外側のコーティング除去構造４．１は、外側に位置する縁部１４．１と内側に位置する縁部１５．１の領域で透明導電コーティング３によって完全に取り囲まれている。外側に位置する縁部１４．１はこの場合、外側のコーティング除去構造４．１の外側に位置し、外側のコーティング除去構造４．１が隣接している領域を意味する。従って、内側に位置する縁部１５．１は、内側のコーティング除去構造４．２の外側に位置し、内側のコーティング除去構造４．２が隣接している領域を意味する。外側のコーティング除去構造４．２も同様に、例えば、外側に位置する縁部１４．２と内側に位置する縁部１５．２の領域で透明導電コーティング３によって完全に取り囲まれている。別の外側のコーティング除去構造４．３及び別の内側のコーティング除去構造４．４も、それぞれ外側に位置する縁部１４．３，１４．４と内側に位置する縁部１５．３，１５．４の領域で透明導電コーティング３によって完全に取り囲まれている。これは、外側のコーティング除去構造４．１と内側のコーティング除去構造４．２との間の中間領域並びに別の外側のコーティング除去構造４．３と別の内側のコーティング除去構造４．４との間の中間領域が、透明導電コーティング３によって完全に埋められていることを意味している。本発明によるパネル１０は、ここに図示した複数の構造４．１〜４．４を有した部分１１を有している（例えば、図２参照）。
【０１１１】
図２２には、図２１に示した本発明によるパネル１０についての透過減衰量を示すグラフが示されている。このパネル１０は、８２０ＭＨｚ〜９６０ＭＨｚのＧＳＭ帯並びに、１７００ＭＨｚ〜２２００ＭＨｚのＵＭＴＳ帯について最適化された。図２２において、比較例１は、コーティング除去構造４．１〜４．４を備えた領域９を有さない透明導電コーティング３を備えた単層パネル１´についての透過減衰量を示している。透過減衰量は約３４ｄＢと極めて高いので、例えばパネル後方での携帯電話受信は不可能である。
【０１１２】
図２１に基づく例３の透過減衰量は、９００ＭＨｚの周波数において、先行技術の比較例１の場合よりも２５ｄＢ小さい。さらに、図２１に基づく例３の透過減衰量は、１．９ＧＨｚの周波数において、先行技術の比較例１の場合よりも２８ｄＢ小さい。これは、パネル１０からの眺望や、視覚的特性を殆ど損なうことなく、透過減衰量はファクタ１９ぶん若しくはファクタ２７ぶん減じることができたことを意味している。
【０１１３】
この結果は当業者には予期せぬことで驚きであった。
【符号の説明】
【０１１４】
１  複層パネル
１´  単層パネル
１．１  第１のパネル
１．２  第２のパネル
２  中間層
３  透明導電コーティング
４  コーティング除去領域
４．１  外側のコーティング除去構造
４．２  内側のコーティング除去構造
４．３  別の外側のコーティング除去構造
４．４  別の内側のコーティング除去構造
５  縁部のコーティング除去部
６  支持フィルム
７  Ａ視野
８  コーティング除去線
９  領域
１０  パネル
１１  部分
１２  先行技術によるパネル
１３  アッセンブリ
１４．１，１４．２，１４．３，１４．４  外側に位置する縁部
１５．１，１５．２，１５．３，１５．４  内側に位置する縁部
α  角度
Ａ−Ａ´  切断線
ｂ，ｂｈ，ｂｖ，ｂ１  外側のコーティング除去構造４．１と内側のコーティング除去構造４．２との間の間隔
ｂ２  別の外側のコーティング除去構造４．３と別の内側のコーティング除去構造４．４との間の間隔
ｄ  コーティング除去構造４．１，４．２，４．３，４．４の線幅
εeff  有効比誘電率
ｈ  隣接する領域９の間の間隔
ｌ，ｌ１，ｌ２  コーティング除去構造４．１，４．２，４．３の長さ又は幅
λ  波長
Ｙ  部分
Ｚ  部分
Ｉ  第２のパネル１．２の外面
ＩＩ  第２のパネル１．２の内面
ＩＩＩ  第１のパネル１．１の外面
ＩＶ  第１のパネル１．１の内面
Ｖ  中間層２の面
ＶＩ  中間層２の面
【図１】
2016506308.tif 000007
【図２】
2016506308.tif 000008
【図３Ａ】
2016506308.tif 000009
【図３Ｂ】
2016506308.tif 000010
【図３Ｃ】
2016506308.tif 000011
【図３Ｄ】
2016506308.tif 000012
【図４】
2016506308.tif 000013
【図５】
2016506308.tif 000014
【図６】
2016506308.tif 000015
【図７】
2016506308.tif 000016
【図８】
2016506308.tif 000017
【図９】
2016506308.tif 000018
【図１０】
2016506308.tif 000019
【図１１】
2016506308.tif 000020
【図１２Ａ】
2016506308.tif 000021
【図１２Ｂ】
2016506308.tif 000022
【図１３】
2016506308.tif 000023
【図１４】
2016506308.tif 000024
【図１５】
2016506308.tif 000025
【図１６Ａ】
2016506308.tif 000026
【図１６Ｂ】
2016506308.tif 000027
【図１７】
2016506308.tif 000028
【図１８】
2016506308.tif 000029
【図１９】
2016506308.tif 000030
【図２０】
2016506308.tif 000031
【図２１】
2016506308.tif 000032
【図２２】
2016506308.tif 000033
【国際調査報告】
2016506308.tif 000034
2016506308.tif 000035
2016506308.tif 000036
2016506308.tif 000037
2016506308.tif 000038
2016506308.tif 000039